(57)【特許請求の範囲】
【請求項１】
筒体の下部を容器体口頸部(３)へ装着可能に形成すると共に、筒体の上部を小径のノズル筒(２２)とし、かつ上記筒体の下部内面から内向きフランジ(１４)を突出して、該内向きフランジ内周へ有底シリンダ(１５)を貫設させ、内向きフランジ(１４)よりも上方の有底シリンダ(１５)部分と上記筒体の内面との間を内向きフランジ(１４)を底面とする上面開口の計量室(２１)に形成し、かつ内向きフランジ(１４)よりも上方の有底シリンダ(１５)部分内面に係合凹溝(１６)を形成すると共に、内向きフランジ(１４)よりも下方の有底シリンダ(１５)部分には液体流通縦孔(１８)を穿設したキャップ主部材(１０)と、
上記有底シリンダ(１５)内へ上下動可能に嵌合させた筒状ピストン(３０)と、
上記筒状ピストン(３０)を、外面に設けた摺動凹溝(４１)内へ嵌合させて一定ストローク上下動可能に設け、有底シリンダ(１５)下部内から上記筒体の上部内まで起立させて上方付勢された栓棒(４０)と、
上記ノズル筒(２２)へ嵌合させた口キャップ(５０)とを有し、
上記口キャップ(５０)の嵌合状態では、該口キャップ頂壁(５２)下面から垂設された押圧棒(５１)が栓棒(４０)を押下げし、又栓棒(４０)が内向きフランジ(１４)よりも下方まで筒状ピストン(３０)を押下げることで、上記液体流通縦孔(１８)の上部を介して内向きフランジ(１４)よりも上方の筒体内空間と内向きフランジ(１４)よりも下方の筒体内空間が連通可能とし、
上記口キャップ(５０)を外した状態では、栓棒(４０)上部がノズル筒(２２)上面から上方突出すると共に、このとき摺動凹溝(４１)における、筒状ピストン(３０)の下面との対向面へ筒状ピストン(３０)が接し、かつ該筒状ピストン(３０)外周部が上記係合凹溝(１６)内に係合し、このとき筒状ピストン(３０)が内向きフランジ(１４)よりも上方の筒体内空間と内向きフランジ(１４)よりも下方の筒体内空間を水密に遮断可能とし、
更に栓棒(４０)上端面をノズル筒(２２)上面とほぼ同位置まで押込みしたとき、キャップ主部材(１０)および筒状ピストン(３０)に対して栓棒(４０)だけが下降し、このとき栓棒(４０)の上部外面に縦設した縦溝(４２)が内向きフランジ(１４)よりも上方の筒体内空間と外気との連通路を形成可能に形成したことを特徴とする液体計量塗布栓。
【請求項２】
筒体の下部を容器体口頸部(３)へ装着可能に形成すると共に、筒体の上部を小径のノズル筒(２２)とし、かつ上記筒体の下部内面から内向きフランジ(１４)を突出して、該内向きフランジ内周へ有底シリンダ(１５)を貫設させ、内向きフランジ(１４)よりも上方の有底シリンダ(１５)部分と上記筒体の内面との間を内向きフランジ(１４)を底面とする上面開口の計量室(２１)に形成すると共に、内向きフランジ(１４)よりも下方の有底シリンダ(１５)部分には液体流通縦孔(１８)を穿設したキャップ主部材(１０)と、
上記有底シリンダ(１５)内へ上方付勢させて上下動可能に嵌合させ、かつ外周部から垂設した弾性フック(３２)を上記流通縦孔(１８)内へ嵌合させた筒状ピストン(３０)と、
上記筒状ピストン(３０)を、外面に設けた摺動凹溝(４１)内へ嵌合させて一定ストローク上下動可能に設け、有底シリンダ(１５)下部内から上記筒体の上部内まで起立させて上方付勢された栓棒(４０)と、
上記ノズル筒(２２)へ嵌合させた口キャップ(５０)とを有し、
該口キャップ(５０)の嵌合状態では、該口キャップ頂壁(５２)下面から垂設された押圧棒(５１)が栓棒(４０)を押下げし、又栓棒(４０)が内向きフランジ(１４)よりも下方まで筒状ピストン(３０)を押下げることで、上記液体流通縦孔(１８)の上部を介して内向きフランジ(１４)よりも上方の筒体内空間と内向きフランジ(１４)よりも下方の筒体内空間が連通可能とし、
上記口キャップ(５０)を外した状態では、栓棒(４０)上部がノズル筒(２２)上面から上方突出すると共に、このとき摺動凹溝(４１)における、筒状ピストン(３０)の下面との対向面へ筒状ピストン(３０)が接し、かつ弾性フック(３２)が流通縦孔(１８)上面に接して、このとき筒状ピストン(３０)が内向きフランジ(１４)よりも上方の筒体内空間と内向きフランジ(１４)よりも下方の筒体内空間を水密に遮断可能とし、
更に栓棒(４０)上端面をノズル筒(２２)上面とほぼ同位置まで押込みしたとき、キャップ主部材(１０)および筒状ピストン(３０)に対して栓棒(４０)だけが下降し、このとき栓棒(４０)の上部外面に縦設した縦溝(４２)が内向きフランジ(１４)よりも上方の筒体内空間と外気との連通路を形成可能に形成したことを特徴とする液体計量塗布栓。
【請求項３】
筒体の下部を容器体口頸部(３)へ装着可能に形成すると共に、筒体の上部を小径のノズル筒(２２)とし、かつ上記筒体の下部内面から内向きフランジ(１４)を突出して、該内向きフランジ内周へ有底シリンダ(１５)を貫設させ、内向きフランジ(１４)よりも上方の有底シリンダ(１５)部分と上記筒体の内面との間を内向きフランジ(１４)を底面とする上面開口の計量室(２１)に形成すると共に、内向きフランジ(１４)よりも下方の有底シリンダ(１５)部分には液体流通縦孔(１８)を穿設したキャップ主部材(１０)と、
上記有底シリンダ(１５)内へ上方付勢させて上下動可能に嵌合させ、かつ外周部から垂設した弾性フック(３２)を上記液体流通縦孔(１８)内へ嵌合させると共に、内周部から垂設した摺動筒(３４)下端部に内向きフランジ状壁(３５)を付設した筒状ピストン(３０)と、
上記摺動筒(３４)を嵌合させた下方棒部外面を下向き段部を介して小外径部に形成すると共に、該小外径部の下方部外面に摺動凹溝(４１)を形成し、該摺動凹溝(４１)内へ上記内向きフランジ状壁(３５)を嵌合させて筒状ピストン(３０)を一定ストローク上下動可能に設け、有底シリンダ(１５)下方から上記筒体の上部内まで起立させて上方付勢された栓棒(４０)と、
上記ノズル筒(２２)へ嵌合させた口キャップ(５０)とを有し、
上記栓棒(４０)の下向き段部下面と小外径部外面と上記筒状ピストン(３０)の摺動筒(３４)内面と該摺動筒の内向きフランジ状壁(３５)上面とで画成される空間をバネ収納室に形成して、該室内に収納したバネ(４３)で上記栓棒(４０)を上方付勢し、
上記口キャップ(５０)の嵌合状態では、該口キャップ頂壁(５２)下面から垂設された押圧棒(５１)が栓棒(４０)を押下げし、又栓棒(４０)が内向きフランジ(１４)よりも下方まで筒状ピストン(３０)を押下げることで、上記液体流通縦孔(１８)の上部を介して内向きフランジ(１４)よりも上方の筒体内空間と内向きフランジ(１４)よりも下方の筒体内空間が連通可能とし、
上記口キャップ(５０)を外した状態では、栓棒(４０)上部がノズル筒(２２)上面から上方突出すると共に、このとき摺動凹溝(４１)における、筒状ピストン(３０)の下面との対向面へ筒状ピストン(３０)が接し、かつ弾性フック(３２)が上記液体流通縦孔(１８)上面に接して、このとき筒状ピストン(３０)が内向きフランジ(１４)よりも上方の筒体内空間と内向きフランジ(１４)よりも下方の筒体内空間を水密に遮断可能とし、
更に栓棒(４０)上端面をノズル筒(２２)上面とほぼ同位置まで押込みしたとき、キャップ主部材(１０)および筒状ピストン(３０)に対して栓棒(４０)だけが下降し、このとき栓棒(４０)の上部外面に縦設した縦溝(４２)が内向きフランジ(１４)よりも上方の筒体内空間と外気との連通路を形成可能に形成したことを特徴とする液体計量塗布栓。
【発明の詳細な説明】
【０００１】
【発明の属する技術分野】
本発明は容器体の栓として使用され、かつ液体を計量可能で、計量した液体を塗布することができる液体計量塗布栓に関する。
【０００２】
【従来の技術】
計量した液体を注出可能な液体計量注出栓として、例えば、実開平２−９９７５６号公報に開示されているように、大口頸部を起立する容器体と、大口頸部に嵌合させた小口頸部付きの大キャップと、小口頸部に着脱自在に嵌合させた小キャップとからなり、小口頸部は大キャップ頂壁の前部から起立すると共に小口頸部下端から容器体内へ下端面閉塞の貯水筒部を垂設し、かつ該貯水筒部前壁部分の下方に下面及び前面開口の凹部を設けて該凹部の上壁部分を液体流入孔としたものが知られている。
【０００３】
また、計量した液体を塗布可能な容器として、例えば、実用新案登録第２５４１９４９号公報に記載されているように、口頸部を起立する弾性圧搾可能な容器体と、口頸部の上端開口面を口頸部上端に固着させた座板で水密に閉塞して、該座板中央部に穿設した透孔と連通するパイプを容器体内部まで垂設し、かつ上記透孔を囲んで内筒を、かつ該内筒を囲んで外筒を、これら内外両筒間に計量室を設けて起立する口部閉塞部材と、口頸部外面へ螺合させた周壁上端から外筒へ水密に接して上下動可能に保持筒を起立し、該保持筒内面へ外周部を固着させた、透孔付き横板の中央部から内筒内面へ着脱自在に嵌合させて栓を垂下し、かつ横板上方の保持筒部分内面にフランジを付設した作動筒と、保持筒の上端部に、小透孔付きの頂板外周から垂下する周壁下端部を固着させると共に、その頂板中央部から垂下する栓棒をフランジのフランジ孔内へ押下げ可能に挿通させ、該栓棒下端に付設した大外径部上面をフランジ内周部へ圧接させて逆止弁を形成する弾性塗布部材とからなり、栓棒の下端面と横板の中央部との間に栓棒下降用間隙を、また上記フランジと頂板との間に液溜め室を、それぞれ設けた液体塗布容器が知られている。
【０００４】
【発明が解決しようとする課題】
上記公知例の前者では、計量後、容器体を倒立させるだけで計量液体は広口の注出孔から連続的に流出するため、容器体を倒立させた状態でポイント的に連続塗布するには不適当であった。
また、後者では、塗布可能とするためには胴部圧搾による計量後、容器体を倒立させて頂板を塗布面に押し付けることで、液体を液溜め室に貯留する必要があるが、貯留後は前者と同様に液体は頂板の透孔から連続的に流出するため上記同様の不都合がある。
【０００５】
さらに、公知例の前者において、計量液体を注出するには、容器体を倒立させて液体流入孔から貯水筒部内へ液体を流入させた後、容器体を正立させることで貯水筒部から余分な量の液体を排出させて計量し、次いで容器体を傾斜させて貯水筒部から液体を注出させなければならないが、注出時に容器体を傾斜させし過ぎると、容器体内の液体が液体流入孔を介して貯水筒部内に液体が流入するおそれがあるため、また、注出に際しては、容器体を所定方向へ傾斜させなければならないところ、誤って反対方向へ傾斜させると貯水筒部内の液体が液体流入孔を介して容器体内へ逆流するおそれがあるため、いずれの場合にも正確な計量が困難になるおそれがあった。
【０００６】
他方、公知例の後者では、液体を計量する場合には、胴部を圧搾させて計量室を液体で満たす必要があるが、胴部の圧搾が不十分な場合には正確な計量が困難になることがあった。
【０００７】
本発明は上記問題点に鑑みてなされたもので、ポイント的な塗布と正確な計量を可能にする液体計量塗布栓を提供することを目的とする。
【０００８】
【課題を解決するための手段】
第１の手段として、筒体の下部を容器体口頸部３へ装着可能に形成すると共に、筒体の上部を小径のノズル筒２２とし、かつ上記筒体の下部内面から内向きフランジ１４を突出して、該内向きフランジ内周へ有底シリンダ１５を貫設させ、内向きフランジ１４よりも上方の有底シリンダ１５部分と上記筒体の内面との間を内向きフランジ１４を底面とする上面開口の計量室２１に形成し、かつ内向きフランジ１４よりも上方の有底シリンダ１５部分内面に係合凹溝１６を形成すると共に、内向きフランジ１４よりも下方の有底シリンダ１５部分には液体流通縦孔１８を穿設したキャップ主部材１０と、
上記有底シリンダ１５内へ上下動可能に嵌合させた筒状ピストン３０と、
上記筒状ピストン３０を、外面に設けた摺動凹溝４１内へ嵌合させて一定ストローク上下動可能に設け、有底シリンダ１５下部内から上記筒体の上部内まで起立させて上方付勢された栓棒４０と、
上記ノズル筒２２へ嵌合させた口キャップ５０とを有し、
上記口キャップ５０の嵌合状態では、該口キャップ頂壁５２下面から垂設された押圧棒５１が栓棒４０を押下げし、又栓棒４０が内向きフランジ１４よりも下方まで筒状ピストン３０を押下げることで、上記液体流通縦孔１８の上部を介して内向きフランジ１４よりも上方の筒体内空間と内向きフランジ１４よりも下方の筒体内空間が連通可能とし、
上記口キャップ５０を外した状態では、栓棒４０上部がノズル筒２２上面から上方突出すると共に、このとき摺動凹溝４１における、筒状ピストン３０の下面との対向面へ筒状ピストン３０が接し、かつ該筒状ピストン３０外周部が上記係合凹溝１６内に係合し、このとき筒状ピストン３０が内向きフランジ１４よりも上方の筒体内空間と内向きフランジ１４よりも下方の筒体内空間を水密に遮断可能とし、
更に栓棒４０上端面をノズル筒２２上面とほぼ同位置まで押込みしたとき、キャップ主部材１０および筒状ピストン３０に対して栓棒４０だけが下降し、このとき栓棒４０の上部外面に縦設した縦溝４２が内向きフランジ１４よりも上方の筒体内空間と外気との連通路を形成可能に形成したことを特徴とする。
【０００９】
【課題を解決するための手段】
第２の手段として、筒体の下部を容器体口頸部３へ装着可能に形成すると共に、筒体の上部を小径のノズル筒２２とし、かつ上記筒体の下部内面から内向きフランジ１４を突出して、該内向きフランジ内周へ有底シリンダ１５を貫設させ、内向きフランジ１４よりも上方の有底シリンダ１５部分と上記筒体の内面との間を内向きフランジ１４を底面とする上面開口の計量室２１に形成すると共に、内向きフランジ１４よりも下方の有底シリンダ１５部分には液体流通縦孔１８を穿設したキャップ主部材１０と、
上記有底シリンダ１５内へ上方付勢させて上下動可能に嵌合させ、かつ外周部から垂設した弾性フック３２を上記流通縦孔１８内へ嵌合させた筒状ピストン３０と、
上記筒状ピストン３０を、外面に設けた摺動凹溝４１内へ嵌合させて一定ストローク上下動可能に設け、有底シリンダ１５下部内から上記筒体の上部内まで起立させて上方付勢された栓棒４０と、
上記ノズル筒２２へ嵌合させた口キャップ５０とを有し、
該口キャップ５０の嵌合状態では、該口キャップ頂壁５２下面から垂設された押圧棒５１が栓棒４０を押下げし、又栓棒４０が内向きフランジ１４よりも下方まで筒状ピストン３０を押下げることで、上記液体流通縦孔１８の上部を介して内向きフランジ１４よりも上方の筒体内空間と内向きフランジ１４よりも下方の筒体内空間が連通可能とし、
上記口キャップ５０を外した状態では、栓棒４０上部がノズル筒２２上面から上方突出すると共に、このとき摺動凹溝４１における、筒状ピストン３０の下面との対向面へ筒状ピストン３０が接し、かつ弾性フック３２が流通縦孔１８上面に接して、このとき筒状ピストン３０が内向きフランジ１４よりも上方の筒体内空間と内向きフランジ１４よりも下方の筒体内空間を水密に遮断可能とし、
更に栓棒４０上端面をノズル筒２２上面とほぼ同位置まで押込みしたとき、キャップ主部材１０および筒状ピストン３０に対して栓棒４０だけが下降し、このとき栓棒４０の上部外面に縦設した縦溝４２が内向きフランジ１４よりも上方の筒体内空間と外気との連通路を形成可能に形成したことを特徴とする。
【００１０】
第３の手段として、筒体の下部を容器体口頸部３へ装着可能に形成すると共に、筒体の上部を小径のノズル筒２２とし、かつ上記筒体の下部内面から内向きフランジ１４を突出して、該内向きフランジ内周へ有底シリンダ１５を貫設させ、内向きフランジ１４よりも上方の有底シリンダ１５部分と上記筒体の内面との間を内向きフランジ１４を底面とする上面開口の計量室２１に形成すると共に、内向きフランジ１４よりも下方の有底シリンダ１５部分には液体流通縦孔１８を穿設したキャップ主部材１０と、
上記シリンダ１５内へ上方付勢させて上下動可能に嵌合させ、かつ外周部から垂設した弾性フック３２を上記液体流通縦孔１８内へ嵌合させると共に、内周部から垂設した摺動筒３４下端部に内向きフランジ状壁３５を付設した筒状ピストン３０と、
上記摺動筒３４を嵌合させた下方棒部外面を下向き段部を介して小外径部に形成すると共に、該小外径部の下方部外面に摺動凹溝４１を形成し、該摺動凹溝４１内へ上記内向きフランジ状壁３５を嵌合させて筒状ピストン３０を一定ストローク上下動可能に設け、有底シリンダ１５下方から上記筒体の上部内まで起立させて上方付勢された栓棒４０と、
上記ノズル筒２２へ嵌合させた口キャップ５０とを有し、
上記栓棒４０の下向き段部下面と小外径部外面と上記筒状ピストン３０の摺動筒３４内面と該摺動筒の内向きフランジ状壁３５上面とで画成される空間をバネ収納室に形成して、該室内に収納したバネ４３で上記栓棒４０を上方付勢し、
上記口キャップ５０の嵌合状態では、該口キャップ頂壁５２下面から垂設された押圧棒５１が栓棒４０を押下げし、又栓棒４０が内向きフランジ１４よりも下方まで筒状ピストン３０を押下げることで、上記液体流通縦孔１８の上部を介して内向きフランジ１４よりも上方の筒体内空間と内向きフランジ１４よりも下方の筒体内空間が連通可能とし、
上記口キャップ５０を外した状態では、栓棒４０上部がノズル筒２２上面から上方突出すると共に、このとき摺動凹溝４１における、筒状ピストン３０の下面との対向面へ筒状ピストン３０が接し、かつ弾性フック３２が上記液体流通縦孔１８上面に接して、このとき筒状ピストン３０が内向きフランジ１４よりも上方の筒体内空間と内向きフランジ１４よりも下方の筒体内空間を水密に遮断可能とし、
更に栓棒４０上端面をノズル筒２２上面とほぼ同位置まで押込みしたとき、キャップ主部材１０および筒状ピストン３０に対して栓棒４０だけが下降し、このとき栓棒４０の上部外面に縦設した縦溝４２が内向きフランジ１４よりも上方の筒体内空間と外気との連通路を形成可能に形成したことを特徴とする。
【００１１】
【発明の実施の形態】
図１ないし図４は本発明に係る液体計量塗布栓の第１の実施形態を示す。
１は容器体で、胴部２上端から肩部を介して口頸部３を起立する。
１０はキャップ主部材で、口頸部３へ嵌合させたシリンダ付き装着筒１１と該部材へ嵌合させた覆筒１２とからなる。両者につき、以下順次説明する。
【００１２】
シリンダ付き装着筒１１は、口頸部３外面へ図示する凹凸の係合手段ないし螺合手段を介して下方筒部を装着させた周壁１３上端に内向きフランジ１４を付設し、該フランジ内周へ有底シリンダ１５を貫設させる。そして内向きフランジ１４よりも上方のシリンダ１５部分の下部内面に係合凹溝１６を周設する。一方、内向きフランジ１４よりも下方のシリンダ１５部分の下端部を下方小径のテーパ状部を介して小外径部に形成すると共に、該小外径部と内向きフランジ１４との間のシリンダ部分には複数の液体流通用の割溝１８を縦設する。
【００１３】
覆筒１２は、内向きフランジ１４の外周部上面に周設した嵌合溝１９内へ周壁２０下端部を嵌着させて、該周壁内面と内向きフランジ１４上方のシリンダ１５部分との間を内向きフランジ１４を底面とする上面開口の計量室２１に形成すると共に、周壁２０上端部を下方大外径のテーパ状筒部を介して小径のノズル筒２２に形成する。該ノズル筒の上端部内面に、複数の縦溝２３を縦設すると共に、これら縦溝下端を連ねるシール用突条２４を周設する。
【００１４】
３０は筒状ピストンで、外周部をシリンダ１５内へ上下動可能に嵌合させると共に、内周部に摺動筒３１を貫設させて、該筒を後述の栓棒４０外面へ上下動自在に嵌合させている。なお、摺動筒３１の下部内面は上向き段部を介して小内径部に形成する。
【００１５】
４０は栓棒で、外面に形成した摺動凹溝４１内へ摺動筒３１の小内径部を上下動自在に嵌合させて筒状ピストン３０を一定ストローク上下動可能に設けると共に、棒上端部外面に複数の縦溝４２を縦設し、かつ棒下端部をシリンダ１５の小外径部内へ位置させてノズル筒２２内まで下記の手段により上方付勢状態で起立する。
【００１６】
摺動凹溝４１よりも下方の棒部分を下向き段部を介して遊嵌用の小外径部に形成すると共に、シリンダ１５の小外径部へ圧縮コイルバネ４３の下端部を嵌合させ、かつ該バネ内へ上記遊嵌用の小外径部を遊嵌させて、バネ上端を小外径部の下向き段部へ圧接させることで栓棒４０を上方付勢させる。
【００１７】
５０は口キャップで、ノズル筒２２内へ着脱自在に嵌合させた押圧棒５１を中央部から垂設する頂壁５２から内外２重筒を垂設して、内筒をノズル筒２２外面へ嵌合させると共に、外筒下端を覆筒１２のテーパ状筒部下端へ嵌合させている。なお、押圧棒５１の下部外面にシール用の突条を周設して、該突条をノズル筒内面のシール用突条２４下面へ着脱自在に係合させている。
【００１８】
口キャップ５０を装着した状態では、図１に示すように、押圧棒５１が栓棒４０を押し下げし、かつ該栓棒が筒状ピストン３０を内向きフランジ１４下方まで押し下げることで、割溝１８の上部を介して内向きフランジ１４よりも上方空間と下方空間とを連通させている。
【００１９】
一方、口キャップ５０を外した状態では、図３に示すように、栓棒４０上端部がノズル筒２２上面から上方突出すると共に、このとき摺動凹溝４１下面へ筒状ピストンの摺動筒３１下面が接し、かつ筒状ピストン外周部が係合凹溝１６内に係合し、これによって筒状ピストン３０が内向きフランジ１４よりも上方空間と下方空間とを水密に遮断する。
【００２０】
さらに、図４に示すように、栓棒４０を塗布面に押し付けることで、栓棒上端面をノズル筒２２上面とほぼ同位置まで押し込みしたとき、キャップ状主部材１０および筒状ピストン３０に対して栓棒４０だけが下降し、このとき栓棒４０に形成した縦溝４２が内向きフランジ１４よりも上方空間と外気との連通路を形成する。
【００２１】
次に本実施形態の作用について説明する。
本実施形態による液体計量塗布栓を使用するには、まず口キャップ５０をノズル筒２２へ嵌合させた状態で、図２に示すように、容器体を倒立させることにより容器体内液体を割溝１８を介して内向きフランジ１４よりも上方空間へ流入させた後、容器体を正立させると、液体の一部は計量室２１を満たし、残余の液体は容器体内へ流下する。
【００２２】
計量後、口キャップ５０をノズル筒２２から取り外すと、図３に示すように、栓棒４０がコイルバネ４３の付勢力で上昇して摺動凹溝４１下面が摺動筒３１下面に接触することで摺動筒を介して筒状ピストン３０を、その外周部が係合凹溝１６へ係合するまで上昇させる。筒状ピストン３０が係合凹溝１６へ係合して上昇を停止すると、栓棒４０も同時に上昇を停止する。この時点で栓棒４０の上端部はノズル筒２２上面から突出し、かつ該ノズル筒内面のシール用突条２４が縦溝４２下端を閉塞して外気とキャップ主部材１０内部との連通を遮断する。
【００２３】
液体を塗布するには、図４に示すように、容器体を倒立させ、かつコイルバネ４３の付勢力に抗して栓棒４０の先端部を塗布面に押し付ければよく、すると栓棒が下降してシール用突条２４が縦溝４２を開放するため、該溝を介して外気とキャップ主部材１０内部とが連通して縦溝４２から液体が塗布面に流出する。なお、上記のように栓棒４０が下降しても筒状ピストン３０は係合凹溝１６に係合して静止状態を保持するため、容器体内液体が内向きフランジ１４よりも上方空間内へ流入することがない。
【００２４】
塗布後、容器体を正立させて口キャップ５０をノズル筒２２へ嵌合させると、栓棒４０が押し下げられて摺動凹溝４１上面が摺動筒３１に係合することで筒状ピストン３０を押下げて係合凹溝１６から下方へ離脱させる。
【００２５】
図５ないし図８は本発明の第２の実施形態を示す。なお、ここでは第１の実施形態と異なる点についてのみ説明する。
本実施形態では、筒状ピストン３０の外周部から筒壁を垂設して、該筒壁下端部を弾性フック３２に形成し、かつ該フックを割溝１８内へ上下動自在に嵌合させると共に、シリンダ１５の下端部を下向き段部を介して小外径部に形成し、かつ該下向き段部と筒状ピストン３０下面との間にコイルバネ３３を縮設して筒状ピストン３０を上方付勢し、さらにノズル筒２２外面に雄ねじを、また口キャップの内筒内面に雌ねじを形成して、該内筒をノズル筒へ螺合させる。
【００２６】
そして、口キャップ５０を外した状態では、摺動凹溝４１下面へ筒状ピストン３０が接し、かつ弾性フック３２が割溝１８上面に接して、このとき筒状ピストン３０が内向きフランジ１４下方と上方との筒部内空間を水密に遮断する。
【００２７】
次に作用について説明する。なお、第１実施形態との重複部分については説明を省略する。
口キャップ５０を外すと栓棒４０がバネ力で上昇し、摺動凹溝４１下面が筒状ピストン３０に係合して、弾性フック３２が割溝１８上面に接触するまで上昇させる。塗布に際して、栓棒４０先端部を塗布面に押し付けて下降させても、筒状ピストン３０はコイルバネ３３で上方付勢されているため、キャップ主部材１０および筒状ピストン３０に対して栓棒４０だけが下降する。
【００２８】
図９ないし図１２は本発明の第３の実施形態を示す。なお、ここでは第２の実施形態と異なる点についてのみ説明する。
本実施形態では、シリンダ１５を下面開口に形成して、該シリンダ下端内面にフランジ部を付設すると共に、該フランジ部上面と筒状ピストン３０下面との間にコイルバネ３３を縮設して筒状ピストンを上方付勢し、該筒状ピストン内周部から摺動筒３４を垂設して、該筒下端部に内向きフランジ状壁３５を付設する。
【００２９】
上記摺動筒３４を嵌合させた栓棒４０の下方棒部外面を下向き段部を介して小外径部に形成すると共に、該小外径部の下方部外面に摺動凹溝４１を形成し、該凹溝内へ内向きフランジ状壁３５を嵌合させて筒状ピストン３０を一定ストローク上下動可能に形成する。また、小外径部外面にはコイルバネ４３を伸縮自在に嵌合させて、該バネ上端を下向き段部下面へ、かつバネ下端を内向きフランジ状壁３５上面へ、それぞれ圧接させて栓棒４０を上方付勢する。
【００３０】
そして、本実施形態における口キャップ嵌合状態では、栓棒４０下方部をシリンダ１５下端から下方へ突出させ、また口キャップ５０を外した状態では、摺動凹溝４１下面へ筒状ピストンの内向きフランジ状壁３５が接触可能に形成する。
【００３１】
次に作用について説明する。なお、第２実施形態との重複部分については説明を省略する。
口キャップ５０を外すと栓棒４０がバネ力で上昇し、摺動凹溝４１下面が筒状ピストンの内向きフランジ状壁３５に係合して、弾性フック３２が割溝１８上面に接触するまで上昇させる。
なお、栓棒４０および筒状ピストン３０を上方付勢するバネの材質は金属でも合成樹脂でもどちらでもよい。このことは第１および第２実施形態についても同様である。
【００３２】
【発明の効果】
請求項１ないし３に係る発明は、栓棒の押し込みにより縦溝が内向きフランジ上方の筒部内空間と外気との連通路を形成可能に形成したので、塗布面に対し栓棒を押し付け・離間させることで連通路を開閉させることが可能であり、このため直線ないし曲線状の連続的な塗布は勿論のこと、適量のポイント的な塗布も可能になる。
【００３３】
また、口キャップを外すと、筒状ピストンが内向きフランジ下方と上方との筒部内空間を水密に遮断可能であるから、容器体を倒立させても容器体内液体が計量室内に流入することがなく、このため正確な計量が可能になる。
【図面の簡単な説明】
【図１】本発明に係る液体計量塗布栓の第１の実施形態を示す半断面図。
【図２】同じく、計量時の状態を示す半断面図。
【図３】同じく、計量後の状態を示す半断面図。
【図４】同じく、塗布状態を示す半断面図。
【図５】本発明に係る液体計量塗布栓の第２の実施形態を示す半断面図。
【図６】同じく、計量時の状態を示す半断面図。
【図７】同じく、計量後の状態を示す半断面図。
【図８】同じく、塗布状態を示す半断面図。
【図９】本発明に係る液体計量塗布栓の第３の実施形態を示す半断面図。
【図１０】同じく、計量時の状態を示す半断面図。
【図１１】同じく、計量後の状態を示す半断面図。
【図１２】同じく、塗布状態を示す半断面図。
【符号の説明】
１  容器体                        ２  胴部
３  口頸部                        １０  キャップ主部材
１４  内向きフランジ              １５  シリンダ
１６  係合凹溝                    １８  液体流通縦孔
２１  計量室                      ２２  ノズル筒
３０  筒状ピストン                ３１、３４  摺動筒
４０  栓棒                        ４１  摺動凹溝
４２  縦溝                        ５０  口キャップ
５１  押圧棒                      ３２  弾性フック
３５  フランジ状壁
【図１】
0004141647.tif 000002
【図２】
0004141647.tif 000003
【図３】
0004141647.tif 000004
【図４】
0004141647.tif 000005
【図５】
0004141647.tif 000006
【図６】
0004141647.tif 000007
【図７】
0004141647.tif 000008
【図８】
0004141647.tif 000009
【図９】
0004141647.tif 000010
【図１０】
0004141647.tif 000011
【図１１】
0004141647.tif 000012
【図１２】
0004141647.tif 000013